(57)【特許請求の範囲】
【請求項１】
集合住宅又は施設の受付にユーザ宛の物品が預けられた旨のメッセージ情報の通知を行う情報通知システムであって、
前記集合住宅又は施設の受付の担当者が操作する受付端末と、
前記受付端末とネットワークを介して接続される管理サーバと、
前記ユーザにより操作される情報処理装置であるユーザ端末と
前記集合住宅又は施設の集合玄関に設置され、該集合玄関に進入する際に操作する集合玄関機と、
前記施設における各ユーザの居住又は利用する専有部にそれぞれ設置され、前記集合玄関機を操作する者と通話可能なインターホン装置と、
前記集合玄関機とインターホン装置との間の通話を制御する制御盤と
を有して構成され、
前記受付端末は、前記ユーザ宛のメッセージを入力し、該入力したメッセージを前記管理サーバへ送信し、
前記管理サーバは、前記メッセージを前記受付端末から受信すると、該受信したメッセージに基づくメッセージ情報を前記ユーザ端末へ通知するとともに、前記受信したメッセージに基づくメッセージ情報を前記制御盤へ送信し、
前記制御盤は、前記メッセージ情報を前記管理サーバから受信すると、該受信したメッセージ情報を前記集合玄関機へ送信して該メッセージ情報の内容を報知させることを特徴とする情報通知システム。
【請求項２】
前記制御盤は、前記メッセージ情報を前記管理サーバから受信すると、該受信したメッセージ情報を前記インターホン装置へ送信して該メッセージ情報の内容を報知させることを特徴とする請求項１記載の情報通知システム。
【請求項３】
前記受付端末は、集合住宅又は施設の受付に前記ユーザの物品が預けられると、該物品の内容を示す情報である前記メッセージを入力し、該入力したメッセージを前記管理サーバへ送信し、
前記管理サーバは、前記メッセージを受信すると、該受信したメッセージに基づいて、前記ユーザの物品を前記受付で預かっている旨の前記メッセージ情報を、前記ユーザ端末へ通知することを特徴とする請求項１又は２記載の情報通知システム。
【請求項４】
前記ユーザ端末は、前記メッセージ情報において通知された物品を前記ユーザが居住又は利用する専有部へ届けることを要求する旨の専有部配送要求情報を、前記管理サーバへ送信し、
前記管理サーバは、ユーザの専有部の位置を示すデータベースを備え、前記専有部配送要求情報を受信すると、前記データベースを参照して前記ユーザの専有部の位置を示す情報を抽出し、該抽出したユーザの専有部の位置を示す情報とともに、前記受信した専有部配送要求情報を前記受付端末へ送信することを特徴とする請求項３記載の情報通知システム。
【請求項５】
前記受付端末は、前記ユーザの物品が前記受付の担当者から前記ユーザに渡されると、該物品の受け渡しが行われた旨の情報を入力し、該入力した物品の受け渡しが行われた旨の情報を前記管理サーバへ送信し、
前記管理サーバは、前記物品の受け渡しが行われた旨の情報を前記受付端末から受信すると、該受信した情報を前記ユーザ端末へ送信することを特徴とする請求項３又は４記載の情報通知システム。
【請求項６】
前記受付端末は、前記ユーザの物品が前記受付の担当者から前記ユーザに渡されると、該物品の受け渡しが行われた旨の情報を入力し、該入力した物品の受け渡しが行われた旨の情報を前記管理サーバへ送信し、
前記管理サーバは、前記物品の受け渡しが行われた旨の情報を前記受付端末から受信すると、該受信した情報を前記ユーザのインターホン装置へ送信することを特徴とする請求項１から５のいずれか１項に記載の情報通知システム。
【請求項７】
ユーザの通知アドレス情報を管理するユーザデータベースと、
ユーザ宛の配送物を預け入れ可能な収納装置とをさらに有し、
前記収納装置は、自装置に前記ユーザ宛の配送物が預けられると、前記ユーザ宛の配送物が配送され前記収納装置で預かっている旨の前記メッセージを前記管理サーバへ送信し、
前記管理サーバは、前記メッセージを前記受付端末又は前記収納装置から受信すると、前記ユーザデータベースを参照して前記ユーザの通知アドレス情報を抽出し、該抽出した通知アドレス情報に対応付けられた前記ユーザ端末へ前記メッセージ情報を送信することを特徴とする請求項１から６のいずれか１項に記載の情報通知システム。
【発明の詳細な説明】
【技術分野】
【０００１】
本発明は、情報通知システムに関し、特に、例えばユーザ宛の配送物を預かっている旨等のメッセージ情報を当該ユーザに通知する情報通知システムに関する。
【背景技術】
【０００２】
従来から、集合住宅やオフィスビルにおいては、管理人等が居住者等宛ての配送物を一時預かって、帰宅後等に居住者等へ手渡す配送物の一時預かりサービスを行っていた。
また、近年では、高額物件やホテル、オフィス等においても、コンシェルジュと呼ばれる係員が、集合住宅の共用部やフロント等に常駐し、ユーザ宛の配送物を一時預かるケースも増えている。
【０００３】
これら配送物の一時預かりサービスは、配送物の受け取り時に留守にしがちなユーザにとって非常に便利なものであるが、ユーザが自身のポストに入れられた伝票を確認したり、コンシェルジュが自身の部屋に設置されたインターホンへ連絡するまで、ユーザは、自身宛の配送物がコンシェルジュ等に預けられているかどうかを知る術はない。
従って、当該伝票を見逃したり、部屋に不在でインターホンによる連絡を受け取れなかったりした場合には、ユーザは自身宛の配送物をスムーズに受け取れず、また、配送物の保管スペースを無駄に占領してしまい、配送物の一時預かりサービスが十分に機能しなくなってしまうおそれがあった。
【０００４】
このような配送物の一時預かりサービスに懸念される問題を解消する従来技術の１つに特許文献１が開示するところの宅配ボックスシステムが提案されている。
特許文献１の宅配ボックスシステムでは、配達人が、集合住宅の居住者宛の配送物を、集合住宅に設置された宅配ボックスに預け入れると、当該居住者の端末に、当該居住者宛の配送物の着荷を示す電子メールが送信される。
居住者は、その電子メールを見て、帰宅時に例えば集合住宅のエントランスホールに設置された宅配ボックスに寄り、自分宛の配送物を受け取ってから自宅住戸へ帰宅することができ、スムーズに配送物の受け取りを行うことが可能となる。
【先行技術文献】
【特許文献】
【０００５】
【特許文献１】特開２００１−１７５５５５
【発明の概要】
【発明が解決しようとする課題】
【０００６】
しかしながら、特許文献１における宅配ボックスシステムでは、あくまでも配送物を保管する宅配ボックスの設置が必須であり、コンシェルジュ等が配送物を預かる場合にそのまま適用することはできない。
従って、ユーザは、配送業者からコンシェルジュ等に手渡しで預けられた配送物については、その預けられていることをスムーズに確認できないおそれがあるという問題がある。
その結果として、ユーザによる配送物の受け取り時期が遅れてしまい、配送物の保管スペースを無駄に占領してしまい、他の利用者が利用したくてもできないという問題も生じ得る。
【０００７】
本発明は、上記問題点に鑑みてなされたものであり、例えばコンシェルジュ等がユーザ宛の配送物を一時預かっている等のメッセージをユーザに対してスムーズに通知する情報通知システムを提供することを目的とする。
【課題を解決するための手段】
【０００８】
かかる目的を達成するため、本発明は、集合住宅又は施設の受付にユーザ宛の物品が預けられた旨のメッセージ情報の通知を行う情報通知システムであって、集合住宅又は施設の受付の担当者が操作する受付端末と、受付端末とネットワークを介して接続される管理サーバと、ユーザにより操作される情報処理装置であるユーザ端末と集合住宅又は施設の集合玄関に設置され、集合玄関に進入する際に操作する集合玄関機と、施設における各ユーザの居住又は利用する専有部にそれぞれ設置され、集合玄関機を操作する者と通話可能なインターホン装置と、集合玄関機とインターホン装置との間の通話を制御する制御盤とを有して構成され、受付端末は、ユーザ宛のメッセージを入力し、入力したメッセージを管理サーバへ送信し、管理サーバは、メッセージを受付端末から受信すると、受信したメッセージに基づくメッセージ情報をユーザ端末へ通知するとともに、受信したメッセージに基づくメッセージ情報を制御盤へ送信し、制御盤は、メッセージ情報を管理サーバから受信すると、受信したメッセージ情報を集合玄関機へ送信してメッセージ情報の内容を報知させることを特徴とする。
【０００９】
また、本発明における情報通知システムによれば、制御盤は、メッセージ情報を管理サーバから受信すると、受信したメッセージ情報をインターホン装置へ送信してメッセージ情報の内容を報知させることを特徴とする。
【００１０】
また、本発明における情報通知システムによれば、受付端末は、集合住宅又は施設の受付にユーザの物品が預けられると、物品の内容を示す情報であるメッセージを入力し、入力したメッセージを管理サーバへ送信し、管理サーバは、メッセージを受信すると、受信したメッセージに基づいて、ユーザの物品を受付で預かっている旨のメッセージ情報を、ユーザ端末へ通知することを特徴とする。
【００１１】
また、本発明における情報通知システムによれば、ユーザ端末は、メッセージ情報において通知された物品をユーザが居住又は利用する専有部へ届けることを要求する旨の専有部配送要求情報を、管理サーバへ送信し、管理サーバは、ユーザの専有部の位置を示すデータベースを備え、専有部配送要求情報を受信すると、データベースを参照してユーザの専有部の位置を示す情報を抽出し、抽出したユーザの専有部の位置を示す情報とともに、受信した専有部配送要求情報を受付端末へ送信することを特徴とする。
【００１２】
また、本発明における情報通知システムによれば、受付端末は、ユーザの物品が受付の担当者からユーザに渡されると、物品の受け渡しが行われた旨の情報を入力し、入力した物品の受け渡しが行われた旨の情報を管理サーバへ送信し、管理サーバは、物品の受け渡しが行われた旨の情報を受付端末から受信すると、受信した情報をユーザ端末へ送信することを特徴とする。
【００１３】
また、本発明における情報通知システムによれば、受付端末は、ユーザの物品が受付の担当者からユーザに渡されると、物品の受け渡しが行われた旨の情報を入力し、入力した物品の受け渡しが行われた旨の情報を管理サーバへ送信し、管理サーバは、物品の受け渡しが行われた旨の情報を受付端末から受信すると、受信した情報をユーザのインターホン装置へ送信することを特徴とする。
【００１４】
また、本発明における情報通知システムは、ユーザの通知アドレス情報を管理するユーザデータベースと、ユーザ宛の配送物を預け入れ可能な収納装置とをさらに有し、収納装置は、自装置にユーザ宛の配送物が預けられると、ユーザ宛の配送物が配送され収納装置で預かっている旨のメッセージを管理サーバへ送信し、管理サーバは、メッセージを受付端末又は収納装置から受信すると、ユーザデータベースを参照してユーザの通知アドレス情報を抽出し、抽出した通知アドレス情報に対応付けられたユーザ端末へメッセージ情報を送信することを特徴とする。
【００１５】
なお、以上の構成要素の任意の組合せや、本発明の構成要素や表現を方法、装置、システム、コンピュータプログラム、コンピュータプログラムを格納した記録媒体などの間で相互に置換したものもまた、本発明の態様として有効である。
【発明の効果】
【００１６】
本発明における情報通知システムは、集合住宅又は施設の受付にユーザに渡す前に一時預けられたユーザ宛の配送物の管理を行う情報通知システムであって、集合住宅又は施設の受付の担当者が操作する受付端末と、受付端末とネットワークを介して接続される管理サーバとを有して構成され、受付端末は、受付にユーザ宛の配送物が預けられると、配送物の情報である配送物情報を入力し、入力した配送物情報を管理サーバへ送信し、管理サーバは、配送物情報を受信すると、受信した配送物情報に基づいて、ユーザ宛の配送物が配送され受付で預かっている旨のメッセージ情報を、ユーザが操作する装置へ通知するので、コンシェルジュ等がユーザ宛の配送物を一時預かっている場合に、その事実をユーザに対してスムーズに知らせることができ、配送物の一時保管スペースの有効利用が可能となる。
【図面の簡単な説明】
【００１７】
【図１】本発明の第１の実施の形態における情報通知システムの構成を示す図である。
【図２】本発明の第１の実施の形態におけるユーザ端末の構成を示す図である。
【図３】本発明の第１の実施の形態における管理サーバの構成を示す図である。
【図４】本発明の第１の実施の形態における管理サーバの情報格納部に格納される情報を示す図である。
【図５】本発明の第１の実施の形態における保管状況ＤＢにより管理されるデータ構成の一例を示す図である。
【図６】本発明の第１の実施の形態におけるユーザＤＢにより管理されるデータ構成の一例を示す図である。
【図７】本発明の第１の実施の形態におけるコンシェルジュ端末の構成を示す図である。
【図８】本発明の第１の実施の形態における制御盤の構成を示す図である。
【図９】本発明の第１の実施の形態における集合玄関機の構成を示す図である。
【図１０】本発明の第１の実施の形態におけるインターホン装置を示す図である。
【図１１】本発明の第１の実施の形態における情報通知システムによる配送物のコンシェルジュへの預入れ時の動作の流れを示すシーケンスチャートである。
【図１２】本発明の第１の実施の形態における情報通知システムによるユーザ端末及びインターホン装置を用いたメッセージ情報の通知動作の流れを示すシーケンスチャートである。
【図１３】本発明の第１の実施の形態における情報通知システムによる集合玄関機を用いたメッセージ情報の通知動作の流れを示すシーケンスチャートである。
【図１４】本発明の第１の実施の形態における情報通知システムによる配送物のコンシェルジュからの引取り時の動作の流れを示すシーケンスチャートである。
【図１５】本発明の第１の実施の形態における情報通知システムによるコンシェルジュの配送物の配送時引取り時の動作の流れを示すシーケンスチャートである。
【図１６】本発明の第２の実施の形態における情報通知システムの構成を示す図である。
【図１７】本発明の第２の実施の形態における収納装置の外観を示す図である。
【図１８】本発明の第２の実施の形態における収納装置の構成を示す図である。
【図１９】本発明の第２の実施の形態における収納装置の情報格納部に格納される情報を示す図である。
【図２０】本発明の第２の実施の形態における収納ボックスＤＢのデータ構成の一例を示す図である。
【図２１】本発明の第２の実施の形態における管理サーバの情報格納部に格納される情報を示す図である。
【図２２】本発明の第２の実施の形態における収納装置保管状況ＤＢのデータ構成の一例を示す図である。
【図２３】本発明の第２の実施の形態における情報通知システムによる配送物の収納装置への預入れ時の動作の流れを示すシーケンスチャートである。
【発明を実施するための形態】
【００１８】
＜第１の実施の形態＞
（第１の実施の形態の概要）
本発明の第１の実施の形態において、ユーザは、メッセージ情報の通知サービスを利用することができる。
メッセージ情報の通知サービスとは、ユーザ自身が居住する集合住宅、勤務先のビル（シェアオフィスを含む）又は利用するホテル等の各種施設において、当該施設のスタッフがユーザに代わってユーザ宛のメッセージ情報を預かり、その後当該ユーザにそのメッセージ情報の内容を通知するというものである。
上記施設のスタッフ（以下、単に「スタッフ」という）は、例えば、当該施設において業務を行うコンシェルジュ、管理人又は担当者等の受付業務を行う者である。
また、上記メッセージ情報には、スタッフが第三者からユーザ宛に預かった所定の用件のメッセージ、スタッフが受付において配送業者等からユーザ宛の配送物を預かった際に、どの配送物を保管している旨のメッセージ、又は受付にユーザの忘れ物／落し物が届けられている旨のメッセージ等が含まれる。
【００１９】
本発明の第１の実施の形態では、情報通知システムが上記メッセージ通知サービスを提供する場所として、例えば、集合住宅等（マンション）の居住施設やホテル等の宿泊施設、オフィス（ビル）等の施設、百貨店、ショッピングモール、コンビニエンスストア、スーパーマーケット等の商業施設、又は駅や病院等の公共施設・機関等様々な場所が適用可能である。
以下、本発明の第１の実施の形態においては、一例として、上記施設をマンション等の集合住宅とし、メッセージの提供を受けるユーザを当該集合住宅の居住者とし、当該居住者に対してメッセージの提供を行う上記施設スタッフを当該集合住宅に駐留するコンシェルジュであるとする。
【００２０】
また、以下、本発明の第１の実施の形態においては、一例として、コンシェルジュがユーザ（居住者）に対して配送物の一時預かりサービスの際にメッセージを提供するときの情報通知システムによる動作等を説明する。
配送物の一時預かりサービスは、ユーザ自身が居住する集合住宅、勤務先のビル又は利用するホテル等の各種施設において、ユーザは、自身宛の配送物をコンシェルジュ等の受付に一時預かってもらい、後で取りに行くことができるというサービスである。
本実施の形態では、コンシェルジュは、集合住宅の共用部に設けられたフロントに待機しており、そのフロントで宅配業者等から直接ユーザ宛の配送物を受け取り、配送物の預け入れスペースに保管する。その後、ユーザは、当該フロントを訪れ、コンシェルジュから手渡しで配送物を受け取る。
【００２１】
本発明の第１の実施の形態における情報通知システムは、上記のようにコンシェルジュ等の受付によりユーザ宛の配送物が保管されると、当該ユーザ宛の配送物を預かっていることをユーザに対して通知する。
このことにより、ユーザは、不在等の理由で配送物を受け取ることができなかった場合であっても、当該配送物がコンシェルジュ等の受付に預けられていることを容易に把握し、取りに行くことが可能となる。
【００２２】
（第１の実施の形態における構成）
（１）情報通知システムの全体構成
図１は、本発明の第１の実施の形態における情報通知システムの構成を示す図である。
図に示すように、本実施の形態における情報通知システムは、ユーザが操作する情報処理装置であるユーザ端末１０と、預かったユーザ宛の配送物の保管状況を管理し、その保管状況についてユーザに通知を行う管理サーバ２０と、ユーザ宛の配送物を預かり保管するコンシェルジュにより操作される情報処理装置であるコンシェルジュ端末４０と、集合玄関機６０とインターホン装置７０との間の通話や各機器６０，７０における情報の報知等を制御する制御盤５０と、当該居住／利用施設の集合玄関に設置され、各住戸（専有部）にいるユーザとの通話機能を備えた集合玄関機６０と、各ユーザ個々の専有部に設置され、上記集合玄関機６０との通話が可能であり、操作することにより集合玄関の解錠指示を行うインターホン装置７０とを有して構成される。
【００２３】
図に示すように、管理サーバ２０は、インターネット又はＬＡＮ等のネットワーク１００を介して、ユーザ端末１０、コンシェルジュ端末４０及び制御盤５０とそれぞれ通信可能に接続されている。
なお、管理サーバ２０と制御盤５０とは、専用線で接続されてもよい。
【００２４】
また、制御盤５０は、集合玄関機６０及び各専有部のインターホン装置７０と専用線を介して通信可能に接続されて、インターホンシステム又はＨＡ（Ｈｏｍｅ  Ａｕｔｏｍａｔｉｏｎ）システムを構成する。
【００２５】
（２）ユーザ端末１０の構成
ユーザ端末１０は、配送物の配送宛のユーザにより操作される情報処理装置である。
ユーザ端末１０は、当該ユーザ宛のメッセージ情報を管理サーバ２０から受信し、表示又は音声出力等する。
ここで、メッセージ情報とは、ユーザに対し当該ユーザ宛の配送物をコンシェルジュの保管スペースで保管している旨を示す情報である。例えば、メッセージ情報は、配送物の種類、預かり時刻、保管スペース又は受け取り場所等の情報を含む。
例えば、ユーザ端末１０は、スマートフォン、タブレット端末、携帯電話、ＰＤＡ、ＰＨＳ、ＰＣ等の携帯型情報処理装置である。
【００２６】
図２は、本発明の第１の実施の形態におけるユーザ端末１０の構成を示す図である。
図に示すように、ユーザ端末１０は、ＣＰＵ等からなりユーザ端末１０全体を制御する制御部１１と、ユーザ端末１０を操作するユーザのユーザＩＤ等の各種情報を格納する情報格納部１２と、インターネット等のネットワーク１００を介して管理サーバ２０との間で情報の送受信を行う通信部１３と、各種情報を表示する表示部１４と、各種キー及びボタン等からなり、各種情報の入力を行う操作部１５とを有して構成される。
また、上記表示部１４と操作部１５は、一体に構成され、タッチパネルを構成してもよい。
【００２７】
（３）管理サーバ２０の構成
管理サーバ２０は、コンシェルジュに預けられたユーザ宛の配送物の保管状況（どのユーザのどのような配送物がどこに保管されているか等）を管理する情報処理装置であって、居住／利用施設の内部又は外部いずれに設置されていてもよい。
また、管理サーバ２０は、コンシェルジュ端末４０から配送物を保管している旨とその内容を示す保管情報を受信すると、当該配送物の宛先のユーザのユーザ端末１０に対して、配送物を預かっている旨のメッセージ情報を通知する。
【００２８】
図３は、本発明の第１の実施の形態における管理サーバ２０の構成を示す図である。
図に示すように、管理サーバ２０は、管理サーバ２０全体を制御する制御部２１と、配送物の状況等の情報を格納する情報格納部２２と、ユーザ端末１０、コンシェルジュ端末４０及び制御盤５０との間で各種情報の送受信を行う通信部２３とを有して構成される。
【００２９】
図４は、本発明の第１の実施の形態における管理サーバ２０の情報格納部２２に格納される情報を示す図である。
図に示すように、情報格納部２２は、ユーザ宛の配送物の保管状況の情報を管理する保管状況ＤＢ２２１と、ユーザの個人情報を管理するユーザＤＢ２２２とを格納する。
【００３０】
上述のように、保管状況ＤＢ２２１は、配送業者等から預かりコンシェルジュの保管スペースに保管する配送物の現在の状況を管理するデータベースである。
管理サーバ２０は、コンシェルジュ端末４０から保管情報を受信すると、その内容を当該保管状況ＤＢ２２１に書き込む。
図５は、本発明の第１の実施の形態における保管状況ＤＢ２２１により管理されるデータ構成の一例を示す図である。
図に示す例では、保管状況ＤＢ２２１は、配送物の預かり時刻及び当該配送物を配送した配送業者を示す預かり履歴と、配送物の宛先のユーザの部屋番号等の専有部の特定情報である専有部情報と、配送物の種類と、その配送物が保管される保管スペースと、現在の保管状況（未引取り／引取り済み）とを、各配送物を預かるごとに発行される固有の保管番号にそれぞれ対応付けて格納する。
【００３１】
上述のように、ユーザＤＢ２２２は、ユーザの個人情報を管理するデータベースである。
図６は、本発明の第１の実施の形態におけるユーザＤＢ２２２により管理されるデータ構成の一例を示す図である。
図に示す例では、ユーザＤＢ２２２は、ユーザの居住する住戸の部屋番号と、ユーザのユーザ端末１０のアドレス情報（電子メールアドレス等）とを、各ユーザを識別するユーザＩＤにそれぞれ対応付けて格納する。
なお、本例では、各ユーザごとに認証情報が異なるようにしているが、全ユーザ共通であってもよい。
また、図の例では、ユーザＤＢ２２２は、ユーザの個人情報として部屋番号及びアドレス情報を管理するものであるが、住所、電話番号又は所定の管理番号等、その他、様々な情報を管理してもよい。
【００３２】
また、管理サーバ２０の情報格納部２２は、上記各データベース２２１，２２２の他、各専有部の専有部情報（部屋番号）と、各インターホン装置７０を特定する情報とを対応付けた情報を格納している。
これにより、管理サーバ２０は、各ユーザの専有部のインターホン装置７０を特定可能となっている。
【００３３】
（４）コンシェルジュ端末４０の構成
コンシェルジュ端末４０は、居住／利用施設の共用部の一角に設けられるフロント（受付カウンター）に待機し、ユーザ宛の配送物を配送業者から預かり受けるコンシェルジュ等の受付により操作される情報処理装置である。
コンシェルジュは、コンシェルジュ端末４０を用いて、ユーザ宛のメッセージを入力し、管理サーバ２０へ送信して、ユーザ側に対してメッセージ情報を通知させる。
例えば、コンシェルジュ端末４０は、ＰＣ、スマートフォン、タブレット端末、携帯電話、ＰＤＡ又はＰＨＳ等の情報処理装置である。
【００３４】
図７は、本発明の第１の実施の形態におけるコンシェルジュ端末４０の構成を示す図である。
図に示すように、コンシェルジュ端末４０は、ＣＰＵ等からなりコンシェルジュ端末４０全体を制御する制御部４１と、各種情報を格納する情報格納部４２と、インターネット等のネットワーク１００を介して管理サーバ２０との間で情報の送受信を行う通信部４３と、各種情報を表示する表示部４４と、各種キー及びボタン等からなり、各種情報の入力を行う操作部４５とを有して構成される。
また、上記表示部４４と操作部４５は、一体に構成され、タッチパネルを構成してもよい。
【００３５】
（５）制御盤５０の構成
制御盤５０は、集合玄関機６０とインターホン装置７０との間の通話や居住／利用施設の集合玄関の解錠を制御する装置である。
制御盤５０は、集合玄関機６０から部屋番号を含む通話要求信号を受信すると、当該集合玄関機６０と当該部屋番号の住戸のインターホン装置７０との間の回線を確立し、通話を可能にする。
【００３６】
また、制御盤５０は、インターホン装置７０から解錠要求信号を受信すると、図示しない集合玄関の施解錠装置へ解錠信号を出力し、集合玄関を解錠させる。
【００３７】
制御盤５０は、上記のようなインターホンシステム又はＨＡシステムの制御の他、集合玄関機６０又はインターホン装置７０におけるメッセージ情報の報知処理の制御も行う。
制御盤５０は、管理サーバ２０からメッセージ情報を受信すると、その受信したメッセージ情報を集合玄関機６０又は該当する配送物の宛先の住戸のインターホン装置７０へ出力し、これら各機器に対してメッセージ情報の表示又は音声出力等を実行させる。
【００３８】
図８は、本発明の第１の実施の形態における制御盤５０の構成を示す図である。
図に示すように、制御盤５０は、制御盤５０全体を制御する制御部５１と、各インターホン装置７０が設置されている住戸の部屋番号等の情報を格納する情報格納部５２と、集合玄関機６０及びインターホン装置７０との間で各種情報の送受信を行う通信部５３とを有して構成される。
【００３９】
情報格納部５２には、上記集合玄関の解錠用の認証情報を管理する認証データベース（ＤＢ）が格納されている。
認証ＤＢには、集合玄関の解錠用の認証情報、例えば、パスワード等が管理されている。
当該認証情報は、全ユーザ共通のパスワードであってもよいし、各ユーザでそれぞれ異なるものであってもよい。
例えば、当該認証情報は、各ユーザ固有のパスワード、又はパスワードと部屋番号の組み合わせであってもよいし、各ユーザの指紋などの生体情報であってもよい。
【００４０】
制御盤５０の制御部５１は、集合玄関機６０から認証情報を受信すると、当該受信した認証情報と、上記認証ＤＢで管理されている認証情報とを照合して認証を行う。
なお、パスワード等ではなく、単なる解錠を要求する信号が集合玄関機６０から制御盤５０へ送信される場合には、制御盤５０は、認証ＤＢを用いた認証を行うことなく、解錠信号を集合玄関の施解錠装置へ送信して集合玄関を解錠させるようにしてもよい。
【００４１】
（６）集合玄関機６０の構成
集合玄関機６０は、集合住宅等の集合玄関の外側に設置される通話装置であり、来客等は集合玄関機６０を介してインターホン装置７０を使用するユーザと通話を行うことができる。
また、ユーザは、集合玄関機６０を操作することにより、集合玄関を解錠して集合住宅等の内部へ進入することが可能となる。
その集合玄関の解錠のための操作方法としては、例えば、テンキー等によるパスワードの入力がある。この場合、併せて、ユーザの部屋番号等の固有の情報を入力するようにしてもよい。
また、近距離無線通信を用いてＩＣカード内の情報を集合玄関機６０に読み込ませるようにしてもよい。
また、集合玄関機６０に設けられている鍵穴にキーを差し込んで旋回させることにより解錠させるようにしてもよく、さらに、その他、オートロック式の扉を解錠させるあらゆる方法が適用可能である。この場合、上記キーを旋回させると、集合玄関機６０は、制御盤５０へ集合玄関の解錠を要求する旨の信号を送信する。
【００４２】
図９は、本発明の第１の実施の形態における集合玄関機６０の構成を示す図である。
図に示すように、集合玄関機６０は、ＣＰＵ等からなり集合玄関機６０全体を制御する制御部６１と、集合玄関機６０の機器を識別する情報（機器識別情報）等を格納する情報格納部６２と、専用線等のネットワーク１００を介して制御盤５０からメッセージ情報を受信するとともに、赤外線やＢｌｕｅｔｏｏｔｈ（登録商標）等の近距離無線通信機能を備えた通信部６３と、メッセージ情報等の各種情報を表示する表示部６４と、各種キー及びボタン等からなり、各住戸に設置されているインターホン装置７０との通話の呼び出しや部屋番号等、各種情報の入力を行う操作部６５と、マイク及びスピーカ等を備え音声の入出力を行って各住戸のインターホン装置７０との通話を行う音声入出力部６６とを有して構成される。
上記表示部６４と操作部６５は、一体に構成され、タッチパネルを構成してもよい。
また、操作部６５は、テンキー等の各種キーの他、近距離無線通信の読取装置や集合玄関の解錠用の鍵穴を備えていてもよい。
【００４３】
（７）インターホン装置７０の構成
インターホン装置７０は、ユーザが居住又は利用する住戸等の各専有部内に設置される通話装置であり、集合玄関機６０との通話が可能である。
また、ユーザは、インターホン装置７０を操作することにより、集合玄関の解錠信号を出力し、集合玄関を解錠させることができる。
【００４４】
図１０は、本発明の第１の実施の形態におけるインターホン装置７０を示す図である。
図に示すように、インターホン装置７０は、ＣＰＵ等からなりインターホン装置７０全体を制御する制御部７１と、インターホン装置７０個々を識別する情報（機器識別情報）等を格納する情報格納部７２と、専用線等のネットワーク１００を介して管理サーバ２０からメッセージ情報を受信する通信部７３と、メッセージ情報等の各種情報を表示する表示部７４と、各種キー及びボタン等からなり、集合玄関機６０との通話を確立した後に集合玄関の解錠信号の送信を指示する等、各種情報の入力を行う操作部７５と、マイク及びスピーカ等を備え音声の入出力を行って集合玄関機６０との通話を行う音声入出力部７６とを有して構成される。
また、上記表示部７４と操作部７５は、一体に構成され、タッチパネルを構成してもよい。
【００４５】
（第１の実施の形態の動作）
（１）配送物のコンシェルジュへの預入れ時の動作
本実施の形態における配送物の一時預かりサービスにおいて、配送業者等は、集合住宅に居住するユーザ宛の配送物を配送する際に、当該宛先のユーザが不在等の場合には、集合住宅のフロントに待機するコンシェルジュに配送物を手渡して預けることができる。
図１１は、本発明の第１の実施の形態における情報通知システムによる配送物のコンシェルジュへの預入れ時の動作の流れを示すシーケンスチャートである。
以下、本図に沿って説明を進める。
【００４６】
宅配業者等の配送業者は、上記のとおり、集合住宅のフロントを訪れて、ユーザ宛の配送物をコンシェルジュに手渡すと、コンシェルジュは、その配送物を集合住宅の共用部等に設けられた保管スペースに保管する。
また、このとき、コンシェルジュは、コンシェルジュ端末４０の操作部４５を用いて、宛先の部屋番号（専有部情報）と、配送物の種類と、配送者とを入力する（ステップＳ１０１）。
配送物の種類は、例えば、宅配便、クリーニング品の受取り又はネットスーパーの配送のいずれであるか、あるいは、普通の荷物、ゴルフ、スキー、要冷蔵又は要冷凍等のいずれであるか等が、当該配送物の内容に応じて入力される。
【００４７】
次に、コンシェルジュ端末４０の制御部４１は、上記入力された部屋番号及び配送物の種類と、上記部屋番号等を入力した時刻（預かり時刻）と、配送者と、コンシェルジュが保管している旨の情報とを互いに対応付けて保管履歴を生成し（ステップＳ１０２）、その生成した保管履歴を情報格納部４２に一旦格納する（ステップＳ１０３）。
そして、コンシェルジュ端末４０は、その一旦格納した保管履歴を含む保管情報（メッセージ）を管理サーバ２０へ送信する（ステップＳ１０４）。
【００４８】
管理サーバ２０は、上記保管情報（メッセージ）をコンシェルジュ端末４０から受信すると、その保管情報に含まれる部屋番号と、配送物の種類と、預かり時刻と、配送者と、コンシェルジュが保管している旨の情報とを、それぞれ保管状況ＤＢ２２１における部屋番号（専有部情報）と、配送物の種類と、預かり履歴と、保管スペースとに固有の保管番号に対応付けて書き込み、さらに、これら情報に対応付けて、保管状況を「未引取り」に設定する（ステップＳ１０５）。
【００４９】
このように、配送業者等がコンシェルジュに配送物を預けたとき、管理サーバ２０は、コンシェルジュ端末４０から配送物の保管情報を取得し、保管状況ＤＢ２２１に記録するので、集合住宅の居住者宛の配送物が集合住宅の保管スペースに保管されていることを容易に認識することが可能となる。
【００５０】
（２）ユーザ端末１０及びインターホン装置７０によるメッセージ情報の通知動作
以上のようにして、配送業者等は、コンシェルジュにユーザ宛の配送物を預けると、管理サーバ２０は、その配送物の保管状況を保管状況ＤＢ２２１に記録して管理する。
その後、管理サーバ２０は、コンシェルジュ端末４０から受信した保管情報（メッセージ）に基づいてメッセージ情報を生成し、その生成したメッセージ情報をユーザ端末１０に対し通知して、当該配送物をコンシェルジュの保管スペースで保管していることを知らせる。
図１２は、本発明の第１の実施の形態における情報通知システムによるユーザ端末１０及びインターホン装置７０を用いたメッセージ情報の通知動作の流れを示すシーケンスチャートである。
以下、本図に沿って説明を進める。
【００５１】
管理サーバ２０は、上記配送物の保管履歴を保管状況ＤＢ２２１に格納後、管理サーバ２０の制御部２１は、当該保管履歴の内容を示すメッセージ情報を生成する（ステップＳ２０１）。
【００５２】
次に、管理サーバ２０は、ユーザＤＢ２２２を参照し、該当するユーザの連絡先の情報（電子メールのアドレス等）を抽出し、当該抽出した連絡先に上記生成したメッセージ情報をユーザ端末１０へ送信する（ステップＳ２０２）。
ユーザ端末１０は、上記メッセージ情報を管理サーバ２０から受信すると、表示部１４上にその内容を表示し、又は図示しない音声出力部からアラーム音等を出力してユーザに対し、当該ユーザ宛の配送物がコンシェルジュに預けられている旨を報知する（ステップＳ２０３）。
ユーザは、当該メッセージ情報を確認して、自身宛の配送物が預けられているコンシェルジュのもとを訪れ、当該配送物を引き取る。
【００５３】
また、管理サーバ２０は、上記ユーザ端末１０に加えて、制御盤５０に対してもメッセージ情報を送信する（ステップＳ２０４）。このとき、管理サーバ２０は、メッセージ情報に配送物の宛先の部屋番号を対応付けて制御盤５０へ送信する。
制御盤５０は、メッセージ情報及び部屋番号の情報を管理サーバ２０から受信すると、当該メッセージ情報を当該部屋番号のインターホン装置７０へ送信する（ステップＳ２０５）。
【００５４】
インターホン装置７０は、上記メッセージ情報を制御盤５０から受信すると、表示部７４上にその内容を表示し、又は音声入出力部７６からアラーム音等を出力してユーザに対し、当該ユーザ宛の配送物がコンシェルジュに預けられている旨を住戸内のユーザ又はユーザの家族等に対して報知する（ステップＳ２０６）。
【００５５】
以上のように、ユーザ宛の配送物がコンシェルジュに預けられると、ユーザ端末１０及びインターホン装置７０はユーザに対しその旨を報知するので、ユーザは、自身宛の配送物が届けられたことを容易に把握することが可能となる。
また、本実施の形態における情報通知システムは、従来から集合住宅等に設置されているインターホンシステムの制御盤５０を利用して、インターホン装置７０によるメッセージ情報の報知を行うので、システム設計に要する費用や手間等を最小限に抑えることが可能となる。
【００５６】
また、上述のとおり、本実施の形態では、配送物がコンシェルジュに預けられると、管理サーバ２０はその旨が示されたメッセージ情報をユーザ端末１０へ送信するものであったが、ユーザ端末１０が管理サーバ２０に対して、当該ユーザ宛の配送物が保管されているか否かを問い合わせるように構成してもよい。
ユーザ端末１０が上記問い合わせを行うと、管理サーバ２０は、保管状況ＤＢ２２１を参照し、当該保管状況ＤＢ２２１から該当するユーザ宛の配送物の保管状況について抽出して、これらを表示する画面情報を生成し、ユーザ端末１０へ送信する。ユーザ端末１０は、その画面情報を受信すると、表示する。ユーザは、その画面情報の内容を確認することにより、自身宛の配送物が現在コンシェルジュに預けられていることを把握することができる。
【００５７】
上記ユーザ端末１０がメッセージ情報を管理サーバ２０から受信し表示を行う方法の１つとして、ブラウザを用いる方法がある。
当該方法においては、ユーザ端末１０は、予め自機にブラウザを実装しており、管理サーバ２０は、Ｗｅｂページを配信するＷｅｂサーバとしての機能を備えるものとする。
この場合、ユーザ端末１０は、ブラウザの機能を用いて管理サーバ２０に対し、上記メッセージ情報の取得要求を送信する。
管理サーバ２０は、当該取得要求を受信すると、保管状況ＤＢ２２１を参照し、当該保管状況ＤＢ２２１から該当するユーザ宛の配送物の保管状況についての情報を抽出し、これら抽出した情報に基づいて、該当するユーザ宛の配送物の保管状況が示されたＷｅｂページ、いわゆるマイページを生成し、ユーザ端末１０へ送信する。
ユーザ端末１０は、上記マイページを管理サーバ２０から受信すると、ブラウザ上に表示する。ユーザは、そのマイページに表示されているメッセージ情報を確認することにより、自身宛の配送物が現在コンシェルジュに預けられていることを把握することができる。
【００５８】
また、上記ユーザ端末１０がメッセージ情報の画面情報を管理サーバ２０から受信し表示を行う他の方法のとして、アプリ（ソフトウェア）を用いる方法がある。
当該方法では、ユーザ端末１０は、予めメッセージ情報の画面情報を表示するためのアプリを実装している。当該アプリには、管理サーバ２０のネットワーク上のアドレス情報と、当該ユーザのユーザＩＤ又は部屋番号等の識別情報とが含まれている。
ユーザは、ユーザ端末１０を用いて、上記アプリを起動し、自身のメッセージ情報の取得要求を、ユーザＩＤ又は部屋番号とともに管理サーバ２０へ送信する。
管理サーバ２０は、上記メッセージ情報の取得要求等を受信すると、当該取得要求とともに受信したユーザＩＤ又は部屋番号等に基づいて、該当するユーザのメッセージ情報を保管状況ＤＢ２２１から抽出し、ユーザ端末１０へ送信する。
ユーザ端末１０は、管理サーバ２０からメッセージ情報を受信すると、アプリを用いて、当該受信したメッセージ情報を表示する。
【００５９】
（３）集合玄関機６０によるメッセージ情報の通知動作
上述したように、本実施の形態における情報通知システムは、ユーザ端末１０及びインターホン装置７０により、ユーザに対しメッセージ情報の報知を行うことができる。
これに加えて、本実施の形態における情報通知システムは、集合玄関機６０によりメッセージ情報の報知を行うこともできる。
図１３は、本発明の第１の実施の形態における情報通知システムによる集合玄関機６０を用いたメッセージ情報の通知動作の流れを示すシーケンスチャートである。
以下、本図に沿って説明を進める。
【００６０】
ユーザが、集合住宅に帰って来た際には、集合玄関を解錠するため、解錠用の認証情報を集合玄関機６０に入力する（ステップＳ３０１）。
例えば、この解錠用の認証情報の入力方法としては、ユーザが携帯するＩＣカード等の情報記録媒体に格納されている認証情報を集合玄関機６０の通信部６３に備えられている読取装置を用いて近距離無線通信等により読み取らせるようにしてもよい。
この場合、入力される認証情報は、部屋番号等の各ユーザ又は住戸固有の情報であるか、あるいは、全ユーザ共通のパスワードと部屋番号等の各ユーザ又は住戸固有の情報との組み合わせ等であってもよく、また、これらに限定されない。
【００６１】
また、上記解錠用の認証情報の入力方法としては、ユーザは、集合玄関機６０の操作部６５に備えられているテンキー等を用いて解錠用の認証情報としてパスワードを入力するようにしてもよい。
この場合、入力されるパスワードは各ユーザ又は住戸固有の情報であるか、あるいは、全ユーザ共通のパスワードと部屋番号等の各ユーザ又は住戸固有の情報との組み合わせ等であってもよく、また、これらに限定されない。
【００６２】
集合玄関機６０は、上記解錠用の認証情報が入力されると、当該認証情報を制御盤５０へ送信する（ステップＳ３０２）。
【００６３】
制御盤５０は、上記認証情報を受信すると、当該受信した認証情報と、情報格納部５２に登録されている解錠用の認証情報とを比較照合し、認証を行う（ステップＳ３０３）。
認証失敗の場合には（ステップＳ３０３／Ｎｏ）、そのまま動作を終了する。
認証成功の場合には（ステップＳ３０３／Ｙｅｓ）、制御盤５０は、集合玄関の施解錠装置へ解錠信号を送信して集合玄関を解錠させる（ステップＳ３０４）。
【００６４】
また、制御盤５０は、上記受信した認証情報を管理サーバ２０へ送信する（ステップＳ３０５）。
管理サーバ２０は、上記認証情報を制御盤５０から受信すると、ユーザＤＢ２２２を参照し、該受信した認証情報に基づいて、該認証情報に対応付けられたユーザ（ユーザＩＤ）を特定する（ステップＳ３０６）。
【００６５】
次に、管理サーバ２０は、保管状況ＤＢ２２１を参照して、当該ユーザ宛の保管されている配送物のうち、保管状況が「未引取り」となっているものがあるか否かを判断する（ステップＳ３０７）。
制御部２１は、当該ユーザ宛の配送物であって、保管状況が「未引取り」となっているものがないと判断した場合は（ステップＳ３０７／Ｎｏ）、当該ユーザ宛の配送物で現在預かっているものがないので、このまま動作を終了する。
【００６６】
一方、制御部２１は、当該ユーザ宛の配送物であって、保管状況が「未引取り」となっているものがあると判断した場合は（ステップＳ３０７／Ｙｅｓ）、当該ユーザ宛の配送物で現在預かっているものがあるので、当該メッセージ情報を保管状況ＤＢ２２１から抽出し、管理サーバ２０は、その抽出したメッセージ情報を制御盤５０へ送信する（ステップＳ３０８）。
【００６７】
制御盤５０は、メッセージ情報を管理サーバ２０から受信すると、当該受信したメッセージ情報を集合玄関機６０へ送信する（ステップＳ３０９）。
【００６８】
集合玄関機６０は、上記メッセージ情報を制御盤５０から受信すると、表示部６４上にその内容を表示し、又は音声入出力部６６からアラーム音等を出力してユーザに対し、当該ユーザ宛の配送物がコンシェルジュに預けられている旨を報知する（ステップＳ３１０）。
このように、ユーザが集合玄関機６０を用いて集合玄関の解錠を行うとき、集合玄関機６０は、当該ユーザ宛の配送物がコンシェルジュに預けられていることを報知するので、ユーザは、集合玄関の解錠の際に、当該メッセージ情報を容易に確認することができる。
【００６９】
（４）配送物のコンシェルジュからの引取り時の動作
上記のとおり、ユーザはメッセージ情報を確認すると、コンシェルジュの下を訪れ、配送物を受け取る。
図１４は、本発明の第１の実施の形態における情報通知システムによる配送物のコンシェルジュからの引取り時の動作の流れを示すシーケンスチャートである。
以下、本図に沿って説明を進める。
【００７０】
ユーザは、コンシェルジュが待機するフロントを訪れると、コンシェルジュに対して、上記メッセージ情報が表示されたユーザ端末１０の表示部１４の表示画面を見せる等して、当該配送物を引き取る旨を伝える。このメッセージ情報には、例えば、宛先のユーザの氏名、部屋番号、配送物の種類等が示されている。
また、このとき、これに代えて、ユーザは、自身の部屋番号や、配送物受け取り用のパスワードをコンシェルジュに伝える等してもよい。
コンシェルジュは、当該申し出に応じて、保管スペースに保管されている当該ユーザ宛の配送物をフロントまで持ち運び、ユーザに手渡す。
【００７１】
次に、コンシェルジュは、コンシェルジュ端末４０の操作部４５を操作して、上記配送物がユーザにより引き取られたことを示す配送物の引取り履歴を入力する（ステップＳ４１１）。
例えば、当該引取り履歴の内容としては、ユーザの部屋番号等である。
【００７２】
次に、コンシェルジュ端末４０は、上記引取り履歴を情報格納部４２に一旦格納する（ステップＳ４１２）。
そして、コンシェルジュ端末４０は、上記引取り履歴を管理サーバ２０へ送信する（ステップＳ４１３）。
【００７３】
管理サーバ２０は、上記引取り履歴を受信すると、保管状況ＤＢ２２１にその引取り履歴の内容を反映させる（ステップＳ４１４）。
例えば、その引取り履歴を反映させる具体的な方法としては、図５に示す例では、該当する履歴の「保管状況」の項目を「未引取り」から「引取り済み」に更新する。
【００７４】
次に、管理サーバ２０は、ユーザＤＢ２２２及びその他の情報を参照して、上記「引取り済み」のユーザのユーザ端末１０と、当該ユーザの住戸等の専有部のインターホン装置７０に対し、ユーザ宛の配送物がコンシェルジュから当該ユーザへ引き渡された旨の情報を送信する（ステップＳ４１５）。
ユーザ端末１０及びインターホン装置７０は、上記配送物が引き渡された旨の情報を受信すると、当該情報を表示部１４，７４上に表示する（ステップＳ４１６）。
ユーザは、上記のとおり自身のユーザ端末１０又はインターホン装置７０に表示された情報を見て、配送物をコンシェルジュから引き取ったことを容易に確認することができる。
【００７５】
以上のように、ユーザが自身宛の配送物をコンシェルジュから受け取ると、その事実を示す情報がコンシェルジュ端末４０から管理サーバ２０へ送信されるので、管理サーバ２０は、その後、引取り済みの配送物について引取りを促すような通知をユーザ端末１０に無駄に送信することはなくなる。
【００７６】
（５）コンシェルジュによる配送物の配送時の動作
上記のように、ユーザは、自身宛の配送物をコンシェルジュが預かっていることを知ると、コンシェルジュの下を訪れて、配送物を取りに行くが、この他、コンシェルジュに配送を依頼することもできる。
図１５は、本発明の第１の実施の形態における情報通知システムによるコンシェルジュの配送物の配送時引取り時の動作の流れを示すシーケンスチャートである。
以下、本図に沿って説明を進める。
【００７７】
上記のように、ユーザは、自身宛の配送物がコンシェルジュに預けられていることを知ると、ユーザ端末１０の操作部１５を操作して、自身宛の配送物を、自身が居住又は利用する専有部まで配送をコンシェルジュに対して要求する旨の情報を、当該配送を要求する配送物を特定する情報とともに入力する（ステップＳ５０１）。
ここで、当該専有部までの配送要求情報の入力方法について、具体例を説明する。
例えば、ユーザ端末１０は、メッセージ情報を管理サーバ２０から受信した場合には、その受信したメッセージ情報を表示する。そして、その表示されたメッセージ情報には、専有部まで配送物の配送を要求する旨のアイコン等が示されており、ユーザは当該アイコン等を操作部１５を用いて選択することにより、上記配送を要求する旨の情報を入力するようにしてもよい。
また、この他、例えば、ユーザ端末１０は、上述のように、ブラウザやアプリを用いて、メッセージ情報が示された画面情報を取得することができるが、当該画面情報上のアイコン等を選択することにより、上記コンシェルジュによる配送を要求する旨の情報を入力するようにしてもよい。
【００７８】
次に、ユーザ端末１０は、上記のように入力されたコンシェルジュによる配送要求及び配送物を特定する情報を管理サーバ２０へ送信する（ステップＳ５０２）。
管理サーバ２０は、当該コンシェルジュによる配送要求及び配送物を特定する情報を受信すると、当該配送要求及び配送物を特定する情報をコンシェルジュ端末４０へ送信する（ステップＳ５０３）。
【００７９】
コンシェルジュ端末４０は、上記コンシェルジュによる配送要求及び配送物を特定する情報を受信すると、その受信した情報の内容を表示する（ステップＳ５０４）。
コンシェルジュは、その表示された内容を確認し、該当する配送物を保管スペースからユーザの専有部まで搬送し、手渡す。
その後、コンシェルジュは、上述の「（４）配送物のコンシェルジュからの引取り時の動作」において説明した内容と同様に、コンシェルジュ端末４０を用いて配送物がユーザに渡されたことを入力し、管理サーバ２０に登録する。
【００８０】
このように、ユーザは、自身宛の配送物がコンシェルジュに預けられたことを知ると、自ら取りに行かなくても、コンシェルジュに住戸等の専有部まで運んでもらうことができ、容易に配送物を受け取ることができる。
【００８１】
（第１の実施の形態のまとめ）
以上説明したように、本発明の第１の実施の形態における情報通知システムは、コンシェルジュがユーザに代わってユーザ宛の配送物を預かった旨のメッセージ情報をユーザ端末１０、集合玄関機６０及びインターホン装置７０へ送信するので、ユーザは、効率的に自身宛の配送物をコンシェルジュから引き取ることが可能となる。
【００８２】
また、本実施の形態によれば、制御盤５０、集合玄関機６０及びインターホン装置７０から構成されるオートロックシステム又はＨＡシステムを利用して、上記ユーザ宛の配送物がコンシェルジュに預けられていることをユーザへ伝えるので、一からシステムを構築する場合に比べて、極めて簡単かつ安価に、本実施の形態における情報通知システムを構築することが可能となる。
【００８３】
また、以上説明したように、ユーザ端末１０は、端末検知装置８０からの無線信号を受信してユーザ端末ＩＤを送信する処理、及びメッセージ情報を管理サーバ２０から受信して報知を行う処理を実行するが、これら処理を実行するためのアプリ（ソフトウェア）は当初から実装されていたものであってもよいし、インターネット等のネットワークを介して図示しないサーバ等からダウンロードしてインストールするものであってもよい。
【００８４】
また、上述したように、情報通知システムは、ユーザ宛の配送物の預かった旨以外の他のユーザ宛のメッセージをユーザ側に通知することができる。
例えば、訪問者がユーザと会うために集合住宅を訪問したが、ユーザが不在であった場合には、訪問者は、共用部等にいるコンシェルジュに対して、自身の名前や用件等を含むメッセージを伝えることができる。
すると、コンシェルジュは、コンシェルジュ端末４０の操作部４５を用いて、訪問先のユーザの部屋番号（専有部情報）、訪問者の名前及び用件等を入力する。
次に、コンシェルジュ端末４０の制御部４１は、上記入力された情報に上記情報を入力した時刻を対応付けた情報であるメッセージを生成して、管理サーバ２０へ送信する。
その後のメッセージ情報のユーザ側への通知処理は、上述のメッセージ情報の通知処理と同様であるので省略する。
このように、情報通知システムは、配送物の保管だけでなく、その他の出来事に関するメッセージをユーザに通知することができる。
その他、例えば、施設内において忘れ物が受付に届けられた場合には、コンシェルジュは、コンシェルジュ端末４０を用いて、忘れ物の特徴及び発見場所等とともに、持ち主がわかれば該当するユーザの部屋番号を入力する。持ち主がわからない場合には、当該施設に居住又は利用する全てのユーザの部屋番号を入力するようにしてもよい。
【００８５】
＜第２の実施の形態＞
（第２の実施の形態の概要）
以上説明した本発明の第１の実施の形態における情報通知システムによれば、管理サーバ２０は、コンシェルジュ端末４０から受信したメッセージに基づいてメッセージ情報を生成し、ユーザＤＢ２２２を参照して、当該ユーザＤＢ２２２に書き込まれている該当するユーザの宛先に上記メッセージ情報を送信していた。
【００８６】
これに対し、本発明の第２の実施の形態における情報通知システムは、第１の実施の形態における構成に加え、ユーザが居住又は利用する施設の共用スペース等に設置され、ユーザ宛の配送物を一時預かって保管する収納装置３０をさらに有して構成される。
本実施の形態では、管理サーバ２０は、収納装置３０により預かって保管する配送物の宛先のユーザに関する情報をユーザＤＢ２２２において管理する。
そして、管理サーバ２０は、ユーザ側に上記メッセージ情報を送信する際には、上記収納装置３０における配送物の保管の際に用いられるユーザＤＢ２２２を利用する。すなわち、本実施の形態では、ユーザＤＢ２２２は、元々収納装置３０における配送物の保管に用いられるものであり、それをコンシェルジュ等による配送物の有人管理の際にも共通で用いることにより、システムの構成を簡略化することができるようになっている。
以下、特記しない限り、本実施の形態は、本発明の第１の実施の形態と同様であるとして説明を進める。
【００８７】
（第２の実施の形態の構成）
（１）情報通知システムの全体構成
図１６は、本発明の第２の実施の形態における情報通知システムの構成を示す図である。
図に示すように、本実施の形態における情報通知システムは、ユーザが操作する情報処理装置であるユーザ端末１０と、預かったユーザ宛の配送物の保管状況を管理し、その保管状況についてユーザに通知を行う管理サーバ２０と、ユーザが居住又は利用する施設の共用スペース等に設置され、ユーザ宛の配送物を一時預かって保管する収納装置３０と、ユーザ宛の配送物を預かり保管するコンシェルジュにより操作される情報処理装置であるコンシェルジュ端末４０と、集合玄関機６０とインターホン装置７０との間の通話や各機器６０，７０における情報の報知等を制御する制御盤５０と、当該居住／利用施設の集合玄関に設置され、各住戸（専有部）にいるユーザとの通話機能を備えた集合玄関機６０と、各ユーザ個々の専有部に設置され、上記集合玄関機６０との通話が可能であり、操作することにより集合玄関の解錠指示を行うインターホン装置７０とを有して構成される。
【００８８】
（２）収納装置３０の構成
図１７は、本発明の第２の実施の形態における収納装置３０の外観を示す図である。
収納装置３０は、ユーザ宛の配送物を収納し、施錠可能に構成されるものであり、例えば、配送物を配送宛に届けるまでに一時預け入れる宅配ロッカーとして機能するものである。
本実施の形態では、上述のように、一例として、収納装置３０は、集合住宅の共用スペースに設置されているものとする。
なお、収納装置３０は、マンション等の集合住宅の他、オフィス、コンビニエンスストア・スーパーマーケット等の店舗や商業施設、又は駅や病院等の公共施設・機関等に設置されるものとしてもよく、設置場所はこれらに限定されるものではない。
【００８９】
図１８は、本発明の第２の実施の形態における収納装置３０の構成を示す図である。
図１７，１８に示すように、収納装置３０は、ＣＰＵ等から構成され収納装置３０全体を制御する制御部３１と、各種情報を格納する情報格納部３２と、ユーザ宛の配送物を収納する収納部３３と、各種情報を表示する表示部３４と、各種キーを備え情報入力が可能であるとともに、後述のユーザカード等に書き込まれた認証用の情報の読取り等をする操作部３５と、ネットワーク１００を介して制御装置５０と通信を行う通信部３６とを有して構成される。
【００９０】
収納部３３は、複数の収納ボックスから構成され、各収納ボックスは施錠・閉扉可能に構成される。原則、配送物が収納されていない状態では解錠されており、配送物が入庫可能である。一旦、配送物が入庫されると、施錠及び閉扉し、その配送宛の利用者が取り出すまで安全に保管する。
また、表示部３４と操作部３５は一体に構成され、タッチパネルを形成してもよい。
【００９１】
図１９は、本発明の第２の実施の形態における収納装置３０の情報格納部３２に格納される情報を示す図である。
図に示すように、情報格納部３２は、収納部３３を構成する各収納ボックスの使用状況を管理する収納ボックスＤＢ３２１を格納する。
【００９２】
図２０は、本発明の第２の実施の形態における収納ボックスＤＢ３２１のデータ構成の一例を示す図である。
図に示す例では、収納ボックスＤＢ３２１は、各収納ボックスにおける収納状況（入庫可能／不可能）と、各収納ボックスに収納中の配送物の宛先のユーザの部屋番号等の専有部の特定情報である専有部情報とを、収納ボックスのボックス番号にそれぞれ対応付けて格納する。
上記収納状況で「入庫可能」とは当該収納ボックスに配送物が収納されておらず入庫可能であることを示し、「入庫不可能」とは収納されており入庫不可能であることを示す。
【００９３】
（３）管理サーバ２０の構成
図２１は、本発明の第２の実施の形態における管理サーバ２０の情報格納部２２に格納される情報を示す図である。
図に示すように、情報格納部２２は、コンシェルジュによるユーザ宛の配送物の保管状況の情報を管理する保管状況ＤＢ２２１と、ユーザの個人情報を管理するユーザＤＢ２２２と、収納装置３０によるユーザ宛の配送物の保管状況の情報を管理する収納装置保管状況ＤＢ２２３とを格納する。
【００９４】
本実施の形態における保管状況ＤＢ２２１及びユーザＤＢ２２２のデータ構成は、第１の実施の形態と同様である。
【００９５】
図２２は、本発明の第１の実施の形態における収納装置保管状況ＤＢ２２３のデータ構成の一例を示す図である。
図に示すように、収納装置保管状況ＤＢ２２３は、配送物が保管される収納ボックスを特定するボックス番号と、配送物の宛先のユーザの部屋番号等の専有部の特定情報である専有部情報と、配送物の種類と、収納ボックスに保管された配送物の預かり時刻及び当該配送物を配送した配送業者を示す預かり履歴と、その現在の保管状況（未引取り／引取り済み）とを、各配送物を預かるごとに発行される固有の保管番号にそれぞれ対応付けて格納する。
【００９６】
上述のように、本実施の形態において、管理サーバ２０は、ユーザＤＢ２２２に格納されているデータを用いて、収納装置３０に預けられた配送物の管理を行ったり、当該配送物が保管されたことをユーザ側に通知したりする。
本実施の形態では、管理サーバ２０は、上記のように収納装置３０を用いた配送物の預入れに用いられるユーザＤＢ２２２をコンシェルジュによる配送物の預入れの際にも共通して利用する。
【００９７】
（第２の実施の形態の動作）
（１）配送物の収納装置３０への預入れ時の動作
図２３は、本発明の第２の実施の形態における情報通知システムによる配送物の収納装置３０への預入れ時の動作の流れを示すシーケンスチャートである。
以下、本図に沿って説明を進める。
【００９８】
宅配業者等の配送業者は、ユーザ宛の配送物を集合住宅まで配送した際、ユーザが配送業者による集合玄関機からの呼びかけに応じない場合等には、収納装置３０に預け入れることがある。
このとき、配送業者は、収納装置３０の操作部３５を用いて、収納装置３０の使用目的として「配送物の入庫」を選択するとともに（ステップＳ９０１）、宛先の部屋番号（居住利用スペース情報）と、配送物の種類と、配送業者（自身）を表す情報とを入力する（ステップＳ９０２）。
上記ステップＳ９０２において入力される「配送物の種類」は、例えば、宅配便、クリーニング品の受取り又はネットスーパーの配送のいずれであるか、あるいは、普通の荷物、ゴルフ、スキー、要冷蔵又は要冷凍等のいずれであるか等が、当該配送物の内容に応じて入力される。
上記ステップＳ９０２において入力される「配送業者」は、例えば、ステップＳ９０２において、「宅配業者Ａ」，「宅配業者Ｂ」，「クリーニング店Ｃ」，「スーパーマーケットＤ」・・・等のように複数の会社名が表示部３４上に表示されており、配送業者が操作部３５を用いて、これら表示されている複数の会社名から自身の会社を選択することにより、当該選択した会社名を上記「配送業者」の情報として入力する。
上記ステップＳ９０２において入力された各情報は、後述のように、収納状況ＤＢ３２２に記録される。
【００９９】
次に、収納装置３０の制御部３１は、収納ボックスＤＢ３２１を参照し、「入庫可能」である収納ボックスがあるか否かを判断する（ステップＳ９０３）。
ここで、「入庫可能」である収納ボックスがない場合は（ステップＳ９０３／Ｎｏ）、その旨を表示し（ステップＳ９０４）、動作を終了する。この場合、配送業者は、一旦配送物を持ち帰り、再配送するか、又はコンシェルジュに配送物を預ける。
【０１００】
一方、制御部３１は、「入庫可能」である収納ボックスがある場合には（ステップＳ９０３／Ｙｅｓ）、その「入庫可能」な収納ボックスを全て表示部３４に表示させる（ステップＳ９０５）。
【０１０１】
配送業者は、その表示部３４上に表示された収納ボックスのうち、今回入庫しようとする収納ボックスについて操作部３５を用いて選択すると（ステップＳ９０６）、制御部３１は、当該選択された収納ボックスを解錠する（ステップＳ９０７）。
【０１０２】
次に、配送業者は、上記解錠された収納ボックスに配送物を入庫し、閉扉する。
制御部３１は、その収納ボックスの閉扉を検知すると（ステップＳ９０８／Ｙｅｓ）、当該収納ボックスを施錠する（ステップＳ９０９）。
【０１０３】
次に、収納装置３０の制御部３１は、上記収納ボックスの施錠後に、上記入力された部屋番号と、配送業者と、配送物の種類と、上記施錠した時刻（預かり時刻）と、入庫した配送ボックスのボックス番号とを互いに対応付けて保管履歴を生成する（ステップＳ９１０）。
【０１０４】
次に、収納装置３０は、上記保管履歴の全部又は一部を収納ボックスＤＢ３２１に書き込む（ステップＳ９１１）。
本実施の形態の例では、保管履歴のうち「部屋番号」を、収納ボックスＤＢ３２１における「専有部情報（部屋番号）」に書き込み、収納ボックスＤＢ３２１の「保管状況」を「入庫可能」から「入庫不可能」に書き替える。
【０１０５】
次に、収納装置３０の制御部３１は、その生成した保管履歴を管理サーバ２０へ送信する（ステップＳ９１２）。
【０１０６】
管理サーバ２０は、その保管履歴を収納装置３０から受信すると、当該受信した保管履歴に含まれる部屋番号と、配送業者と、配送物の種類と、預かり時刻と、ボックス番号を収納装置保管状況ＤＢ２２３に書き込む（ステップＳ９１３）。
また、このとき、管理サーバ２０の制御部２１は、収納装置保管状況ＤＢ２２３における今回入庫された収納ボックスの「保管状況」の項目を「未引取り」に設定する。
【０１０７】
その後、ユーザが自身宛の当該配送物を収納装置３０の収納ボックスから取り出した際には、収納ボックスＤＢ３２１の「保管状況」を「入庫不可能」から「入庫可能」に書き替え、当該収納ボックスが入庫可能となる。
また、管理サーバ２０の制御部２１は、収納装置保管状況ＤＢ２２３における今回配送物が取り出された収納ボックスの「保管状況」の項目を「未引取り」から「引取り済み」に書き替える。
【０１０８】
このように、配送業者等が収納装置３０に配送物を預け入れたとき、管理サーバ２０は、収納装置３０から配送物の保管履歴を取得し、収納装置保管状況ＤＢ２２３に記録する。
その後、管理サーバ２０は、第１の実施の形態におけるコンシェルジュが配送物を預かり受けた場合と同様に、配送物を預かっている旨のメッセージ情報を生成し、ユーザＤＢ２２２を参照し、該当するユーザの連絡先の情報（電子メールのアドレス等）を抽出し、当該抽出した連絡先に上記生成したメッセージ情報をユーザ端末１０へ送信する。
また、管理サーバ２０は、第１の実施の形態におけるコンシェルジュが配送物を預かり受けた場合と同様に、集合玄関機６０又はインターホン装置７０へ通知する。
【０１０９】
（２）配送物のコンシェルジュへの預入れ時の動作
本発明の第２の実施の形態における配送物のコンシェルジュへの預入れ時の動作については、第１の実施の形態におけるコンシェルジュが配送物を預かり受けた場合と同様である。
つまり、本実施の形態における情報通知システムにおいて、管理サーバ２０は、コンシェルジュがユーザ宛の配送物を預かった場合、収納装置３０に配送物を預かった場合と共通のユーザＤＢ２２２を参照して、ユーザの連絡先を抽出し、ユーザ側にメッセージ情報の通知を行う。
【０１１０】
（第２の実施の形態のまとめ）
以上説明したように、本発明の第２の実施の形態においては、管理サーバ２０は、コンシェルジュがユーザ宛の配送物を預かった場合、収納装置３０に配送物を預かった場合と共通のユーザＤＢ２２２を参照して、ユーザの連絡先を抽出し、ユーザ側にメッセージ情報の通知を行うので、コンシェルジュは、配送物の宛先のユーザに対して配送物を預かっている旨の連絡を行う場合、当該ユーザの連絡先等をわざわざ調べるといった煩雑な作業を省くことが可能となる。
【０１１１】
また、本発明の第２の実施の形態によれば、収納装置３０又はコンシェルジュによる配送物の預かり受けた場合、ユーザＤＢ２２２を共通に用いてユーザに当該配送物の預かり通知を行っていたが、ユーザＤＢ２２２は、管理サーバ２０に格納される他、収納装置３０に格納されていてもよいし、ネットワーク１００を介して接続されるその他の機器に格納されるように構成してもよい。
また、収納装置３０に管理サーバ２０の機能の全部又は一部を組み込んで一体に構成するようにしてもよい。
【０１１２】
また、本発明の第２の実施の形態における情報通知システムは、本発明の第１の実施の形態における情報通知システムに対し、収納装置３０とコンシェルジュにより配送物を預かった場合に共通のユーザＤＢ２２２を用いる構成を適用したものであるが、当該構成を本発明の第２の実施の形態における情報通知システムに適用するようにしてもよい。
【０１１３】
＜実施の形態のまとめ＞
以上説明したように、本発明の第１，２の実施の形態における情報通知システムによれば、コンシェルジュがユーザに代わって、ユーザ宛の配送物を預かり、保管すると、ユーザ端末１０、集合玄関機６０及びインターホン装置７０に当該ユーザ宛のメッセージ情報を送信し、当該ユーザによる当該配送物の引取りを促すので、ユーザは、効率的に自身宛の配送物を引き取ることが可能となる。
【０１１４】
また、本発明の第１，２の実施の形態によれば、管理サーバ２０は、メッセージ情報をオートロックシステム又はＨＡシステムの制御盤５０へ送信することにより、これらシステム内の集合玄関機６０及びインターホン装置７０に、配送物がコンシェルジュに預けられていることを報知させるので、既存のシステムを用いて本実施の形態における情報通知システムを構築することができ、その設備構築に要するコストや作業の負担を効果的に軽減することが可能となる。
【０１１５】
また、本発明の第１，２の実施の形態によれば、コンシェルジュがコンシェルジュ端末４０を用いてメッセージ情報をユーザ側に通知する際に、通知先のユーザの部屋番号（専有部情報）を入力すると、管理サーバ２０はユーザＤＢ２２２を参照して、当該ユーザＤＢ２２２に格納されている当該ユーザの連絡先にメッセージ情報を送信するよう構成されているので、コンシェルジュに対してユーザのメールアドレス等の個人情報を秘匿しておくことができ、セキュリティ性の高い情報通知システムを構築することが可能となる。
【０１１６】
また、本発明の第２の実施の形態によれば、管理サーバ２０は、コンシェルジュがユーザ宛の配送物を預かった場合、収納装置３０に配送物を預かった場合と共通のユーザＤＢ２２２を参照して、ユーザの連絡先を抽出し、ユーザ側にメッセージ情報の通知を行うので、コンシェルジュは、配送物の宛先のユーザの連絡先等を調べるといった煩雑な作業を行うことなく、当該ユーザに対して配送物を預かっている旨の連絡を容易に行うことが可能となる。
【０１１７】
上記のユーザ端末１０、管理サーバ２０、コンシェルジュ端末４０、制御盤５０、集合玄関機６０及びインターホン装置７０は、主にＣＰＵとメモリにロードされたプログラムによって実現される。ただし、それ以外の任意のハードウェアおよびソフトウェアの組合せによってこの装置またはサーバを構成することも可能であり、その設計自由度の高さは当業者には容易に理解されるところである。
また、上記のユーザ端末１０、管理サーバ２０、コンシェルジュ端末４０、制御盤５０、集合玄関機６０又はインターホン装置７０をソフトウェアモジュール群として構成する場合、このプログラムは、光記録媒体、磁気記録媒体、光磁気記録媒体、または半導体等の記録媒体に記録され、上記の記録媒体からロードされるようにしてもよいし、所定のネットワークを介して接続されている外部機器からロードされるようにしてもよい。
【０１１８】
なお、上記実施の形態では、一例として、コンシェルジュに預けられ、保管される物品は、配送業者によりユーザ宛に配送される配送物であったが、その他の物品でもよい。
例えば、本実施の形態における情報通知システムは、集合住宅の居住者が、コンシェルジュにクリーニング品を預け、それを業者が持ち帰り、クリーニングしてからコンシェルジュに預けるといったクリーニングサービスに利用することもできる。
また、集合住宅に居住するユーザが、同じ集合住宅の他の居住者宛の物品をコンシェルジュに預けるようにしてもよい。その後、受取側の他の居住者は、その預けられた自分宛の物品をコンシェルジュから受け取る。
また、上述のとおり、配送物等の物品を預かる者は、集合住宅の他、オフィス、商業施設又は公共施設・機関等において、当該預かりサービスを提供してもよく、この場合、利用者（ユーザ）は集合住宅の居住者に限定されない。
【０１１９】
上記の実施の形態によれば、コンシェルジュ端末４０（受付端末）は、コンシェルジュにより操作されるものであるが、ユーザの配送物を一時預かり保管する者であれば、他の者により操作されるものであってもよく、例えば、各施設の受付や管理人等により操作されるものであってもよい。
または、上記実施の形態によれば、コンシェルジュ端末４０は、コンシェルジュが待機するフロントに設けられるものであるが、管理人室や配送物（物品）の保管スペース、その他のスペースに設けられるものであってもよく、また携帯端末のように携帯可能なものであってもよい。
さらに、コンシェルジュ等が一時預かり保管する物品は、ユーザ宛の配送物に限らず、例えば、ユーザの落し物やその他の物品であってもよい。
【符号の説明】
【０１２０】
１０    ユーザ端末
１１，２１，３１，４１，５１，６１，７１，８１    制御部
１２，２２，３２，４２，５２，６２，７２，８２    情報格納部
１３，２３，３３，４３，５３，６３，７３，８３    通信部
１４，３４，４４，６４，７４    表示部
１５，３５，４５，６５，７５    操作部
２０    管理サーバ
３０    収納装置
３６    収納部
４０    コンシェルジュ端末
５０    制御盤
６０    集合玄関機
６６，７６    音声入出力部
７０    インターホン装置
１００    ネットワーク
２２１    保管状況ＤＢ
２２２    ユーザＤＢ
２２３    収納装置保管状況ＤＢ
３２１    収納ボックスＤＢ
【図１】
0006700975.tif 000002
【図２】
0006700975.tif 000003
【図３】
0006700975.tif 000004
【図４】
0006700975.tif 000005
【図５】
0006700975.tif 000006
【図６】
0006700975.tif 000007
【図７】
0006700975.tif 000008
【図８】
0006700975.tif 000009
【図９】
0006700975.tif 000010
【図１０】
0006700975.tif 000011
【図１１】
0006700975.tif 000012
【図１２】
0006700975.tif 000013
【図１３】
0006700975.tif 000014
【図１４】
0006700975.tif 000015
【図１５】
0006700975.tif 000016
【図１６】
0006700975.tif 000017
【図１７】
0006700975.tif 000018
【図１８】
0006700975.tif 000019
【図１９】
0006700975.tif 000020
【図２０】
0006700975.tif 000021
【図２１】
0006700975.tif 000022
【図２２】
0006700975.tif 000023
【図２３】
0006700975.tif 000024